(57)【特許請求の範囲】
【請求項１】
便器又はおまると共に使用するように構成された、子供の用足し及びトイレ訓練を支援する便座であって、
前記便座の前方左側端部に配置されるように構成され、前記便座に座っている間に子供又は幼児の左側の膝を高くするように構成された左側傾斜部と、
前記便座の前方右側端部に配置されるように構成され、前記便座に座っている間に子供又は幼児の右側の膝を高くするように構成された右側傾斜部と、
を含む便座。
【請求項２】
前記傾斜部が、閉じたループを形成するか、又は開いた前端を有する従来の便座と一体的に形成されていることを特徴とする請求項１に記載の便座。
【請求項３】
前記左側及び右側傾斜部が、従来の便座又は便器に取り外し可能に取り付けられるように構成されていることを特徴とする請求項１に記載の便座。
【請求項４】
前記左側及び右側傾斜部が、前記便座又は便器に複数の位置で取り付けられるように構成されていることを特徴とする請求項３に記載の便座。
【請求項５】
前記左側及び右側傾斜部が調節可能な斜面を有することを特徴とする請求項１、３、又は４のいずれか１項に記載の便座。
【請求項６】
前記左側及び右側傾斜部が前端に沿って相互に連結されていることを特徴とする請求項４又は５に記載の便座。
【請求項７】
用足し及び子供のトイレ訓練を支援するトイレ容器であって、
前記容器の開口の周りに配置され、子供を受けるように構成された便座と、
前記容器の前方左側端部に配置されるように構成され、前記便座に座っている間に子供の左側の膝を胸に近づけて高くするように構成された左側傾斜部と、
前記容器の前方右側端部に配置されるように構成され、前記便座に座っている間に子供の右側の膝を胸に近づけて高くするように構成された右側傾斜部と、
を含むトイレ容器。
【請求項８】
前記容器が従来の便器又はポットである請求項７に記載のトイレ容器。
【請求項９】
前記傾斜部が、前記容器の開口の周りに配置された容器便座と一体的に形成されたことを特徴とする請求項７又は８に記載のトイレ容器。
【請求項１０】
前記左側及び右側傾斜部が、前記容器又は容器便座に取り外し可能に取り付けられるように構成されていることを特徴とする請求項８に記載のトイレ容器。
【請求項１１】
前記左側及び右側傾斜部が、前記容器又は容器便座上に複数の位置で取り付けられるように構成されていることを特徴とする請求項７又は８に記載のトイレ容器。
【請求項１２】
前記左側及び右側傾斜部が調節可能な斜面を有することを特徴とする請求項７、８、１０、又は１１のいずれか１項に記載のトイレ容器。
【請求項１３】
前記左側及び右側傾斜部が前端に沿って相互に連結していることを特徴とする請求項７又は８に記載のトイレ容器。
【請求項１４】
前記トイレ容器が、便器の上の便座に取り付けられ、並びに他の清浄で平坦な表面上に堅固に保持されるように構成された椅子形態のおまるであり、ヘッド／バックレスト支持体を含むことを特徴とする請求項７から１３のうちのいずれか１項に記載のトイレ容器。
【請求項１５】
前記ヘッド／バックレスト、便座、及び傾斜部が、前記容器に沿って等間隔にされた複数のアパーチャを含み、前記アパーチャが、前記子供用トイレ容器上に取り外し可能に取り付けるように構成された便座インサートの下面に配置された突出部を受けるように構成されたことを特徴とする請求項１４に記載のトイレ容器。
【請求項１６】
請求項１による便座を受けるように構成された便器。
【請求項１７】
子供のトイレ訓練を支援するために便器に便座を備える方法であって、
前記便座を便器又はおまると共に使用するように構成する段階と、
前記便座に座っている間に子供の左側の膝を胸に近づけて高くするように構成された左側傾斜部を、前記便座又はおまるの前方左側端部に配置する段階と、
前記便座に座っている間に子供の右側の膝を胸に近づけて高くするように構成された右側傾斜部を、前記便座又はおまるの前方右側端部に配置する段階と、
を含む方法。
【請求項１８】
前記左側及び右側傾斜部が、前記便座、便器、又はおまるに取り外し可能に取り付けられるように構成されるか、又は一体的に形成されていることを特徴とする請求項１７に記載の方法。
【請求項１９】
１つ又は複数の音声発生装置を前記便座又はおまるに取り付けて、所定の音声を提供して前記音声の作動に応答して子供の排便又は排尿をこれに関連して誘起又は促すように前記装置を構成する段階を含む請求項１７又は１８に記載の方法。
【請求項２０】
請求項１から６のいずれか１項に記載の便座傾斜部を含む、トイレ容器に取り付けるように構成された便座傾斜装置。
【請求項２１】
トイレ容器に取り付けるための便座傾斜装置であって、
便座の前方左側端部に配置されるように構成され、前記便座に座っている間に子供の左側の膝を胸に近づけて高くするように構成された左側傾斜部と、
前記便座の前方右側端部に配置されるように構成され、前記便座に座っている間に子供の右側の膝を胸に近づけて高くするように構成された右側傾斜部と、
を含む便座傾斜装置。
【発明の詳細な説明】
【技術分野】
【０００１】
本発明は、トイレ装置に関し、詳細には子供のトイレ訓練を支援するために子供が使用する便座傾斜装置、便座、トイレ容器又は便器に関する。
【０００２】
本発明は、主として新生児、乳児、幼児、又は就学前児童（以下「子供」と呼ぶ）が使用するために開発されたものであり、以下ではこの用途に関して説明する。しかしながら、本発明は、この特定の利用分野に限定されないことは理解されるであろう。
【背景技術】
【０００３】
これまで知られている子供の便座及びおまるは、約１歳までの子供（新生児及び乳児）にとって極めて限られた価値しかない。既知の便座及びおまるのようなトイレ装置は、約１から２歳（幼児）及び３歳から５歳の就学前児童である子供用に設計されている。幼児及び就学前児童である子供は、既に楽に歩き、子供のサイズに小型化された従来の便座に座るなどの多くの状況でバランスを維持することができる。
【０００４】
文化によっては、子供は生まれた時から効果的にトイレ訓練される。一般に西洋社会では、多くの保育団体及びマニュアルが、子供が１８ヶ月から３歳になってからトイレ訓練を開始することを推奨している。託児所、保育園、幼稚園、又は自宅にいる２歳までのかなりの数の乳幼児が、使い捨ておむつを着用しているのが実情である。実際には、３及び４歳児（より少ないが）の比較的有意な数が依然として、従来のおむつ又は一般にトレーニングおむつとして知られているパンツ型のおむつを着用している。
【０００５】
また、トイレ訓練前の子供に対する従来のおむつ及びトレーニングおむつのコストは、保育者にとって最も費用のかかる予算品目の１つであるのが実情である。おむつの処分は、深刻な環境問題であり、使い捨てでないおむつを使用する場合であっても、おむつを洗うのに使用する洗剤は一般に有害であり、多くの親や保育者は、従来の布おむつを洗って乾燥させる時間がない。従って、かなりの数の親及び保育者が、比較的多数の使い捨ておむつを使用し、通常は尿及び便の付いたこれらのおむつを家庭ごみと一緒に廃棄することにしている。当然ながら、尿や便で濡れた様々なおむつは、子供が軽度から重度のおむつかぶれ又はおしめかぶれなどの皮膚反応を起こす原因となる可能性がある。
【発明の開示】
【発明が解決しようとする課題】
【０００６】
従って、本発明の目的は、早い年齢からの子供のトイレ訓練を支援するために子供が使用するトイレ傾斜装置、便座、又はトイレ容器を提供することである。
【課題を解決するための手段】
【０００７】
本発明の第１の態様によれば、便器又はおまると共に使用するように構成された、子供の用足し及びトイレ訓練を支援するための便座が提供され、該便座は、便座の前方左側端部に配置されるように構成され、便座に座っている間に子供又は幼児の左側の膝を高くするように構成された左側傾斜部と、便座の前方右側端部に配置されるように構成され、便座に座っている間に子供又は幼児の右側の膝を高くするように構成された右側傾斜部と、を含む。
【０００８】
本発明の第２の態様によれば、用足し及び子供のトイレ訓練を支援するためのトイレ容器が提供され、該容器は、容器の開口の周りに配置され、子供を受けるように構成された便座と、容器の前方左側端部に配置されるように構成され、便座に座っている間に子供の左側の膝を胸に近づけて高くするように構成された左側傾斜部と、容器の前方右側端部に配置されるように構成され、便座に座っている間に子供の右側の膝を胸に近づけて高くするように構成された右側傾斜部とを含む。
【０００９】
本発明の第３の態様によれば、子供のトイレ訓練を支援するために便器に便座を備える方法が提供され、該方法は、便座を便器又はおまると共に使用するように構成する段階と、便座に座っている間に子供の左側の膝を胸に近づけて高くするように構成された左側傾斜部を、便座又はおまるの前方左側端部に配置する段階と、便座に座っている間に子供の右側の膝を胸に近づけて高くするように構成された右側傾斜部を、便座又はおまるの前方右側端部に配置する段階とを含む。
【００１０】
本発明の別の態様によれば、トイレ容器に取り付けるための便座傾斜装置が提供され、本装置は、便座の前方左側端部に配置されるように構成され、便座に座っている間に子供の左側の膝を胸に近づけて高くするように構成された左側傾斜部と、便座の前方右側端部に配置されるように構成され、便座に座っている間に子供の右側の膝を胸に近づけて高くするように構成された右側傾斜部とを含む。
【００１１】
従って、幼い子供がトイレに行く助けとなるより快適な環境を与えることによって、子供のトイレ訓練を支援するための便座、便座傾斜装置、及びトイレ容器が提供されることがわかる。
【発明を実施するための最良の形態】
【００１２】
次に、本発明の好ましい実施形態を添付図面を参照しながら例証として説明する。
図１を参照すると、第１の好ましい実施形態による子供用トイレ容器１の分解立面斜視図を示している。本明細書では同じ構成要素には同じ参照符号が使用されることに留意されたい。
【００１３】
この子供用トイレ容器１は、乳幼児をトイレ訓練するためのおまるの形態である。おまる１は、ポリプロピレン又は他の好適な弾性材料から作られた射出成形プラスチック製椅子からなる。おまる１は、おまる１に座っているときに子供の臀部を支持するように構成された便座部２を含む。おまる１の便座は、排泄物が通過して集められる通路としての楕円形の開口３を有する。おまる便座部２の前端は、特に男の子がおまるに座ったときの尿の漏出を防止するように構成された跳ねよけ又は液体障壁５を含む。
【００１４】
おまる１は、おまる便座２に座ったときに子供の背中及び頭部を支持するように構成されたヘッド及びバックレスト６を含む。ヘッド／バックレスト６は、新生児及び乳児の頭部を支持するように設計され、従って、頭が未だ据わっていない非常に幼い子供を安全にトイレ訓練する際に使用するための構造を可能にするのが好ましい点に留意されたい。ヘッド／バックレスト６及びおまる便座２は、対応する形状の防水、セルフシールのＵ字形ポリウレタン（又は他の好適な材料）の軟質発泡クッション９の周りに配置されたスタッド８を受け入れるように構成されたアパーチャ７を有する。クッション９は、取り外し可能とすることができ、複数のスタッドアパーチャ７でおまる１に取り付けて、パッドを形成し、おまる１を比較的柔らかく、温かく、従って子供が座ったときにより快適にする。当然ながら、軟質発泡クッションは、様々な材料で形成され、他の手段でおまるに取り付けられてもよいことは理解されるであろう。
【００１５】
バックレストは、おまる便座のヘッド／バックレスト６の各々の側部に配置され、予め設定された距離だけ前方に延びた一対のサイドガード１０を含む。サイドガード１０は、子供の臀部を所定位置に保持し、子供、特に非常に小さい乳児が横に移動しないように構成されている。
【００１６】
おまるのバックレスト６には、この場合も幼い乳児が使用するように設計されたシートベルト１２（図８で最もよく示されている）の形式の拘束体を受けるスロット１１が設けられている。
【００１７】
図１２又は１３で最もよく示されているが、おまる１は、おまる１の底部付近に環状的に配置された６つ（変わる場合がある）のおまるの足１３を含む。各足は、吸盤１５の頭部１４を取り外し可能に保持するように構成された一対の離間したアパーチャ１６を含む。明らかに、吸盤は、便器の上の便座の上面又は他の清浄な平面上などの固定位置におまるを保持する助けとなるように構成されている。離間した一対のアパーチャ１６により、吸盤は、異なるサイズの便器又は便座に取り付けることができるようになる。当然ながら、吸盤１５は、好ましい滑り止め具又は材料と置き換えることができ、おまるは他の手段により便器又は他の表面の上に取り付けることができる点は理解されるであろう。
【００１８】
図示の実施形態では、プラスチックの使用量及び重さを最小にしながらおまるの強度を補強するために、図４で最も最もよく示されるように、おまる１の周囲の領域はプラスチックがより厚くされている。図４では、太線が補強したプラスチックを示し、重い子供又は動く子供により比較的大きな負荷がかかることが予想される領域であることがわかる。足が広がることは極めて望ましくない。
【００１９】
おまる便座部２は、一対のほぼ円筒形凹部１７及び１８を含み、図７に関して以下に説明するほぼ円筒型の成形ヒンジ１９を受けるように構成されたヒンジポイントを形成する。同様に、離間した一対のアパーチャ２０及び２１は、以下に更に説明する子供用便座傾斜部２９の位置付けを容易にする。
【００２０】
図３は、スタッドアパーチャ７と係合した複数のスタッド８を用いておまる１に取り付けられたクッションインサート９を示す。図１１ではまた、クッション９がヒンジ凹部１７及び１８を覆って、子供により一層の快適さをもたらしていることが分かる。
【００２１】
図５は、おまる１の背面図である。この図では、製造に使用されるプラスチックの量を削減するための切り欠き部２６が詳細に示されている。おまる１のバックレスト６の上部の背面は、１対の離間した音声装置２７を含む。これらの音声装置は、バックレスト６に配置された装置収納部２８に配置されている。音声装置２７は、大人のユーザによって作動させて、おまる１を使用するときに子供に望む行為（排尿又は排便）に応じて音を出すように構成されている。すなわち、装置２７から出る音は、使用中、排便又は排尿と関連付けることができ、子供がある音を排泄行為と結びつけるようになる。
【００２２】
装置２７は、液体が跳ねる可能性が最も少ないバックレスト６の背面の上端に配置される点に留意されたい。実施形態によっては、音声装置２７は、収納部２８の内側の防水筐体内に密封される。
【００２３】
図６を参照すると、ヒンジ連結された便座２９を備えるおまる１の立面分解斜視図を示している。便座は、おまる１に取り外し可能に取り付けられるように構成されている。この便座２９は、穴３の周りのおまる便座部２に座ったときに子供の脚を受けるように構成された左側及び右側傾斜部を含む。傾斜した便座部３０及び３１は、子供が座ったときに子供の膝を胸に近づけあごの下まで高くするように構成されている。
【００２４】
便座２９は、クッションスタッド８を受けるように構成されたスタッドアパーチャ７を含む。便座２９は、側壁又は脚部ウィング３２を含み、子供が脚を便座傾斜部３０及び３１の上に支持されておまる便座２に座ったときの脚の望ましくない動きを抑制する。これは、有利には、おまる１を使用する大きな子供を支持するのにも役立つ。
【００２５】
サイドウィング３２は、便座２９に支持をもたらす支持ロッド３４を貫通して受けるように構成された離間したアパーチャの対応する対を含む。図７及び８で最も最もよく見えるように、支持ロッドは、支持ロッドアパーチャ３３を一方の側から他方の側に貫通して配置され、おまる便座部２の前端４で支持を与える（図７、８、１２、及び１３で最も最もよく示される）。支持ロッドは、便座２９を完全に貫通して延び、支持ロッドの両端でフラワーナット３５により保持される。左側及び右側傾斜部３０及び３１は、ヒンジ１９で終端する。サイドウィング３２は、ヒンジ１９の少し先のサイドウィング先端３６で終端する。サイドウィング先端３６とヒンジ１９との間には位置決めペグ３７が配置されている。便座傾斜部２９の両側に位置決めペグ３７を含む。
【００２６】
図８は、おまると便座２９の係合を最もよく示している。便座２９の各側のヒンジ１９は、便座２９の右側を示す図７の一部の拡大図で示されるように、各側のヒンジ凹部１８に位置付けられる。位置決めペグ３７のアパーチャ２０又は２１での係合は図示されていない。便座２９の各側の位置決めペグ３７がアパーチャ２０又は２１と係合すると、便座２９はその位置に保持され、凹部１７及び１８によりヒンジ１９で支持される。便座２９は、支持ロッド３４によりおまる便座部２の前方便座部４で支持される。
【００２７】
２つの側壁３２を位置決めペグ３７付近で外側に曲げ、更に側壁３２を位置決めペグ３７付近で内側に曲げることで、軽い締まり嵌めを利用してヒンジ１９を凹部１７又は１８にクリップ留めすることができる。軽い締まり嵌めは、望ましくない分解を防止すると同時に、必要なときにヒンジ１９及び位置決めペグ３７を容易に取り外すことができるようにする。
【００２８】
図９は、便座２９が凹部１８でヒンジ１９の周りに回転するおまる１の側面図を最も良く示している。このようにして、支持ロッド３４は、支持ロッドアパーチャ３３のいずれかの対に挿入することができ、位置決めペグ３７が前方又は後方のアパーチャ２１のいずれで係合しているかに応じて上方又は下方の対応するアパーチャ３３を選択することによって、便座傾斜部２９を快適な傾斜にすることが望まれる。支持ロッドはまた、おまる便座部４の前方に位置する又は上に載っているときに便座２９に持続的で頑強な支持を与える点に留意されたい。ヒンジ１９は、より長い又は短い四肢の子供を支持するために、前後に移動してそれぞれ凹部１７又は１８内に入ることができる。また、この配置により、ヒンジ１９が凹部１７又は１８と係合して便座を前方又は後方位置にしたときに、便座傾斜部２９の前部を跳ねよけ５の後方に配置することができるようになる。
【００２９】
再度図９を参照すると、拡大図は、便座２９の脚傾斜部３０及び３１を高くし又は低くするように使用する機構を示している。凹部１７及び１８とのヒンジ１９の軽い締まり嵌めにより、アパーチャ２０及び２１の対の一方又は他方での位置決めペグ３７の位置に応じて、便座傾斜部２９を回転させて２つの位置にすることができる。
【００３０】
図９に示すように、ヒンジ１９が凹部１８にあって、位置決めペグが前方の位置決めペグアパーチャ２１と係合している場合、便座傾斜部２９は低い位置３８となる。位置決めペグ３７が、後方位置決めペグアパーチャ２１と係合している場合、便座傾斜部２９は高い位置３９にある。親又は保育者は、個々の子供に最適な配置を選択することができる。
【００３１】
図１０は、ヒンジ１９が凹部１７にあり、位置決めペグがアパーチャ２０（前方又は後方）にあるときの位置を示している。この位置は、大きい乳児又は脚の長い乳児に適している。
【００３２】
図１１は、クッション９で裏打ちすることによってヘッド／バックレスト６、便座部２、及び脚傾斜部３０及び３１をより快適にした、組み立てられたおまる１を示す。
【００３３】
図１２は、ヒンジ１９を後方の凹部１８に配置し、位置決めペグ３７を前方又は後方のアパーチャ２１と係合させた図１１のおまる１の上面図であり、これは小さい乳児が使用するのに最適である。またこれは、尿跳ねよけに近い便座部４に載っている支持ロッド３４の位置を示している。
【００３４】
図１３は、図１２と同様の図である。しかしながらこれは、ヒンジ１９が前方部１７と係合し、位置決めペグ３７が前方又は後方のアパーチャ２０と係合すると、大きな乳児又は脚の長い乳児が使用するのにより好適であることを示している。支持ロッド３４は、やはり便座部４上に載っているが、尿跳ねよけからより離れている。
【００３５】
当然ながら、成長している子供のトイレ訓練過程のある時点で、便座傾斜部２９はもはや必要ではなくなることがあるので、全て取り外すことができ、大きな子供は便座傾斜部のないおまるを使用することができる。
【００３６】
図１４を参照すると、ポットの形態の容器４０の上に配置された図１１のおまるの側断面図が示されている。ポットの上側周縁４１は、おまるの開口３の内側リップ４２の周りに配置されるように構成されることが分かる。これは、おまる１に座っている重い子供又は動く子供に対し追加の支持を与えることができるだけでなく、ポット４０に入る排泄物からの追加の跳ね障壁となる。使用時には、ポットに水の層４３を配置し、ポットのベース部に排泄物がこびりつかないようにする。
【００３７】
図１５の上の２つの図面を参照すると、図１１でわかるように便座傾斜部２９を備えて完全に組み立てられたおまる１を乳児がどのように使用することができるかを示している。第１の説明図は、ポットの上に取り付けられて、長椅子の上面に置かれた１つの配置を示し、第２の説明図は、ポットなしでの使用を説明している。この状況において、これは好都合には、従来の便器又は便座の周縁に取り付けて、乳児のユーザが大人の便器に直接排尿又は排便することができるようになる。
【００３８】
吸盤１５は、おまるの足の様々な位置でアパーチャを貫通して取り付けられることができ、従って、おまるを様々な大きさの便器に取り付ける柔軟性を与える。従って、この装置は、平坦で清浄な表面に堅固に取り付けて、便受ポットと共に使用すると同時に、従来の大人用便座に堅固に取り付けられて子供が便器に直接排泄することができるように構成されている。
【００３９】
図１５の下の２つの図面は、図３に示したおまる１（便座２９なし）が、幼児又は就学前児童により使用可能であることを２通りに説明している。第１の説明図は、ポットの上に取り付けられ、おまるの足が浴室のタイルに堅固に取り付けられた１つの配置を示している。この状況では、幼児又は就学前児童は、単独でこれを使用することができる。第２の説明図は、ポットなしでこれを使用することを説明している。この状況では、これは、好都合には、従来の便座の周縁に取り付けて、幼児のユーザが大人の便器に直接排尿又は排便することができるようにする。この過程は、常に大人が監視する必要がない。
【００４０】
図１６を参照すると、洗濯たらい４６内に配置した完全に組み立てられたおまる１（図１１で説明したもの）が示されている。この配置を用いて、乳児は、おまる便座部２及び便座傾斜部２９の上に座り、その位置から動かないようにシートベルト１２で拘束することができる。乳児は、この位置にいるときには好都合に沐浴することも可能である。洗濯たらい４６は、バスタブ、シンク、又は他の好適な容器であってもよい点は理解されるであろう。
【００４１】
また図１６から、おまるのヘッド／バックレスト６の上端部は、有利にはたらい４６の高さよりも上に配置されて、水が音声装置２７に跳ねるのを防ぐようにしていることが理解されるであろう。当然ながら、幼い子供が入浴しているときには、水は、おまる便座部２及び便座２９の高さよりもあまり高くならないように配置されるのが好ましい。
【００４２】
図１７及び１８を参照すると、座ったときに子供の膝を高くするように構成された左側及び右側傾斜部３０及び３１を有する便座２９の別の好ましい実施形態が示されている。この実施形態では、便座傾斜部２９は、おまる１の便座２と一体化されている。結果として、便座２９、従ってその脚傾斜部３０及び３１は移動可能ではない。この実施形態は、単一成形のプラスチック構造から形成することができ、便座傾斜部２９が可動である上述の実施形態よりも優れた有意な製造上の利点をもたらす。
【００４３】
従って、乳児、幼児、及び幼い子供のトイレ訓練を支援する便座２９付きの又は便座無しのトイレ容器１が提供されることが分かる。傾斜部３０及び３１は、取り外し可能な脚部レストとして子供のトイレ容器に設けることができ、又は一体的に形成して、子供のトイレ容器に成形することができることが分かる。このトイレ容器は、ポットなしで使用して、従来の便座もしくは便器の上、又は清浄で平坦な表面のどこかでポットを覆って堅固に配置することができる。
【００４４】
便座２９を備えた又は備えていないトイレ容器又はおまる１は、子供がトイレに行くのを支援するだけでなく、自宅又は公衆トイレで比較的容易に使用することができ、従って子供のトイレの必要性に対処するこの態様を親及び他の保育者にとってより容易にすることは理解されるであろう。便座傾斜部を備えた幼児用トイレ容器はまた、子供の膝を胸に向かって移動させるのを助け、子供がこの便器を使用するのを支援する。
【００４５】
上記では、本発明の２つの実施形態のみを説明したが、当業者には明らかなように、本発明の範囲を逸脱することなくこれに変更を行うことができる。
【図面の簡単な説明】
【００４６】
【図１】第１の好ましい実施形態による便座を有するトイレ容器の分解立面斜視図である。
【図２】図１のトイレ容器の分解立面斜視図である。
【図３】クッションを取り付けた図１のトイレ容器の立面斜視図である。
【図４】図３のトイレ容器の側断面図である。
【図５】図１のトイレ容器の背面図である。
【図６】図１のトイレ容器及び便座の組立を示す別の立面図である。
【図７】図１の組み立てたトイレ容器の立面斜視図である。
【図８】図７の組み立てたトイレ容器の正面図である。
【図９】傾斜部の動きを示す図７のトイレ容器及び便座の側断面図である。
【図１０】図９と同様の図であるが、傾斜部分を前方に平行移動した図である。
【図１１】取り付けられたクッションを示す、図１０のトイレ容器及び便座の立面斜視図である。
【図１２】図９の組み立てたトイレ容器及び便座の上面図である。
【図１３】図１０のトイレ容器及び便座の上面図である。
【図１４】ポットを覆って取り付けられた図９のトイレ容器及び便座の側面図である。
【図１５】ポット４０を覆って使用する際、又はポットなしで従来の便器の上に便座に取り付けて使用する際において、組み立てた便座２９を備えたトイレ容器を示す図であり、図１５の下側の図面は、図３に示した便座２９のないトイレ容器を示し、これら２つの下側の図面は、トイレ容器がポットを覆って浴室のタイルなどの平坦で清浄な表面に取り付けることができ、又はポットなしで従来の便器の便座の周縁に好都合に置かれることによって使用することができることを示している。
【図１６】沐浴椅子として使用される、図１のトイレ容器及び便座の部分断面斜視図である。
【図１７】本発明の第２の態様によるトイレ容器及び便座の立面斜視図である。
【図１８】図１７の容器及び便座の正面図である。
【符号の説明】
【００４７】
１  おまる
２  便座
３  開口
６  ヘッド／バックレスト
１０  サイドガード
【図１】
0004709851.tif 000002
【図２】
0004709851.tif 000003
【図３】
0004709851.tif 000004
【図４】
0004709851.tif 000005
【図５】
0004709851.tif 000006
【図６】
0004709851.tif 000007
【図７】
0004709851.tif 000008
【図８】
0004709851.tif 000009
【図９】
0004709851.tif 000010
【図１０】
0004709851.tif 000011
【図１１】
0004709851.tif 000012
【図１２】
0004709851.tif 000013
【図１３】
0004709851.tif 000014
【図１４】
0004709851.tif 000015
【図１５】
0004709851.tif 000016
【図１６】
0004709851.tif 000017
【図１７】
0004709851.tif 000018
【図１８】
0004709851.tif 000019